(57)【要約】【課題】本発明は、急速開放弁の開放器が生じさせる開放音を低減することが可能なサイレンサを提供する。【解決手段】急速開放弁を開放させる開放器２０用のサイレンサ３０であって、筒状のスリーブ３１と、スリーブ３１の壁面に設けられた一以上の貫通孔３２と、を含み、スリーブ３１は、開放器２０の排気口２１ａが設けられた壁部２１Ｂの外周を覆い、且つ壁部２１Ｂとの間に空間３３を形成する構成としてある。【選択図】図３
2019012185.tif 000002
【特許請求の範囲】
【請求項１】
急速開放弁を開放させる開放器用のサイレンサであって、
筒状のスリーブと、前記スリーブの壁面に設けられた一以上の貫通孔と、を含み、
前記スリーブは、前記開放器の排気口が設けられた壁部の外周を覆い、且つ前記壁部との間に空間を形成することを特徴とするサイレンサ。
【請求項２】
前記スリーブが円筒であり、前記開放器の排気口が設けられた壁部との間に、幅１ｍｍ〜２ｍｍの前記空間を形成する請求項１に記載のサイレンサ。
【請求項３】
前記貫通孔が、直径１ｍｍ〜３ｍｍの円形である請求項１又は２に記載のサイレンサ。
【請求項４】
１〜１２個の前記貫通孔が、前記スリーブの壁面に設けられた請求項１〜３のいずれか１項に記載のサイレンサ。
【請求項５】
封板を破くことによって、急速開放弁内の弁体を開動作させる開放器であって、
前記封板の後方に配置されたニードルと、
前記ニードルが取り付けられたピストンと、
前記ピストンが移動可能に収容された本体と、
請求項１〜４のいずれか１項に記載のサイレンサと、を含み、
前記本体の壁部には、内部の気体を逃がすための排気口が設けられ、
前記サイレンサのスリーブが、前記壁部の外周を覆い、且つ前記壁部との間に空間を形成する開放器。
【請求項６】
前記本体の壁部と、前記サイレンサのスリーブとの間に、Ｏリングが介在された請求項５に記載の開放器。
【請求項７】
請求項５又は６に記載の開放器を備えた急速開放弁。
【請求項８】
流出口側の圧力に応じて弁体を開閉動作させる調圧機構を備えた請求項７に記載の急速開放弁。
【請求項９】
ガス消火剤が充填された消火剤貯蔵容器であって、
前記消火剤貯蔵容器の容器弁として、請求項７又は８に記載の急速開放弁を備えた消火剤貯蔵容器。
【請求項１０】
前記ガス消火剤の３５℃における充填圧力が３０ＭＰａである請求項９に記載の消火剤貯蔵容器。
【請求項１１】
請求項９又は１０に記載の消火剤貯蔵容器と、
前記消火剤貯蔵容器の急速開放弁の流出口に接続された配管と、
前記配管に接続されたノズルと、
火災の発生を検出する火災感知器と、
前記火災感知器の検出結果に基づいて信号を送信する制御部と、
前記急速開放弁の開放器を起動させるためのガスが充填された起動用ガス容器と、
前記制御部からの信号に基づいて、前記起動用ガス容器の容器弁を開放させる起動装置と、を含む、ガス系消火設備。
【発明の詳細な説明】
【技術分野】
【０００１】
本発明は、急速開放弁の開放器が生じさせる開放音を低減することが可能なサイレンサ、開放器、急速開放弁、消火剤貯蔵容器及びガス系消火設備に関する。
【背景技術】
【０００２】
従来から急速開放弁を備えた消火剤貯蔵容器が知られている。消火剤貯蔵容器内には、ＣＯ２、Ｎ２、消火薬剤ＩＧ５４１といった不活性ガス又はハロゲン化物などのガス消火剤が高圧で充填されている。ガス消火剤は、気体となって放出されるので、物を汚損、水損させることなく消火できる。このため、消火剤貯蔵容器は、通信機室、電算機室、サーバー室、美術館、博物館、駐車場等に設置されるガス系消火設備に利用される。急速開放弁は、火災が発生したときに、弁体を急速開放させ、消火剤貯蔵容器内のガス消火剤を迅速に供給する。
【０００３】
図７は、従来の急速開放弁１００を示す断面図である。急速開放弁１００は、第１弁体１１１を急速に開動作させる開放器１２０を備える。開放器１２０は、主として、開放器本体１２１、封板１２２、ニードル１２３、ピストン１２４、スプリング１２５、押しボタン１２６及び安全栓１２７で構成されている。
【０００４】
封板１２２は、第１弁体１１１が設けられたステム１１２の背圧を保つ。ニードル１２３は、ピストン１２４に取り付けられる。ピストン１２４は、スプリング１２５に付勢された状態で、開放器本体１２１内に移動可能に収容されている。
【０００５】
開放器本体１２１の後方には、起動ガスの流路１２１Ａが設けられている。流路１２１Ａに供給された高圧の起動ガスは、ピストン１２４の背面に圧力を加え、スプリング１２５の付勢力に抗して、ピストン１２４を急速に前進させる。また、ピストン１２４の後方には、ピン１２４ａが設けられている。ピン１２４ａの後端には、押しボタン１２６がねじ止めされている。押しボタン１２６を押すことにより、手動でピストン１２４を前進させることが可能である。ピン１２４ａは、安全栓１２７によって仮固定されている。安全栓１２７は、例えば、急速開放弁１００を備えた消火剤貯蔵容器が所定の場所に設置された後、ピン１２４ａから取り外される。
【０００６】
開放器１２０は、起動ガスの供給又は押しボタン１２６の手動操作によって動作する。すなわち、起動ガスが供給され、又は押しボタン１２６が手動操作されると、ピストン１２４が急速に前進する。これにより、封板１２２がニードル１２３によって破かれる。封板１２２が破かれることで、ステム１１２の背圧が急激に低下し、ステム１１２とともに第１弁体１１１が急速に開動作する。これにより、図示しない消火剤貯蔵容器内に充填された高圧のガス消火剤が、急速開放弁１００内の流路１１０Ｃを通過し、第２弁体１１４を押し上げて開放させる。その後、急速開放弁１００の図示しない流出口からガス消火剤が放出される。
【０００７】
このような、開放器を備えた急速開放弁として、例えば、特許第３４０３０６３号公報（特許文献１）、特許第３７９６２６２号公報（特許文献２）、特許第３８１１６７５号公報（特許文献３）、特許第３８２１８３５号公報（特許文献４）及び特許第４４１７２９３号公報（特許文献５）に提案されているものがある。
【先行技術文献】
【特許文献】
【０００８】
【特許文献１】特許第３４０３０６３号公報
【特許文献２】特許第３７９６２６２号公報
【特許文献３】特許第３８１１６７５号公報
【特許文献４】特許第３８２１８３５号公報
【特許文献５】特許第４４１７２９３号公報
【発明の概要】
【発明が解決しようとする課題】
【０００９】
しかし、上述した従来の開放器１２０は、第１弁体１１１の開放時に大きな破裂音を生じさせる問題があった。図８は、図７中の開放器１２０を示す拡大断面図であり、図中の矢印Ａ〜Ｃは圧力を示す。図８において、第１弁体１１１は、常にガス消火剤の高い圧力に曝されている（矢印Ａ）。ニードル１２３によって封板１２２が破かれると、ステム１１２の背圧が急激に低下し、ステム１１２とともに第１弁体１１１が急速に開動作する。このときのステム１１２の急速な後退によって、ステム１１２の後方の気体が、開放器本体１２１内に急激に圧縮される（矢印Ｂ）。圧縮された気体は、開放器本体１２１の壁部１２１Ｂに設けられた排気口１２１ａから外部へ放出される（矢印Ｃ）。このとき、開放器１２０は、「パンッ」という大きな破裂音を生じさせる。
【００１０】
開放器１２０が生じさせる大きな破裂音は、周囲の人を驚かせるだけでなく、精密機器に悪影響を与える可能性がある。例えば、ハードディスクドライブの転送速度は、過大な音圧の影響によって変化することがある。このため、ハードディスクドライブが設けられた通信機室、電算機室、サーバー室などにガス系消火設備を設置する場合には、開放器１１０が生じさせる破裂音の影響に配慮しなければならなかった。
【００１１】
さらに、開放器１２０の破裂音は、消火剤貯蔵容器の充填圧力（図８の矢印Ａ）が高くなるほど大きくなる。本発明者らは、消火剤貯蔵容器内に気体貯蔵されるＮ２の充填圧力を、従来の１５ＭＰａから３０ＭＰａにして貯蔵量を増大させることを試みるが、開放器１２０の破裂音は、従来の１５ＭＰａよりも３０ＭＰａの方が大きくなってしまう。
【００１２】
本発明は、上記問題点に鑑みてなされたものであり、急速開放弁の開放器が生じさせる開放音を低減することが可能なサイレンサ、開放器、急速開放弁、消火剤貯蔵容器及びガス系消火設備を提供することを目的とする。
【課題を解決するための手段】
【００１３】
（１）上記目的を達成するために、本発明のサイレンサは、急速開放弁を開放させる開放器用のサイレンサであって、筒状のスリーブと、前記スリーブの壁面に設けられた一以上の貫通孔と、を含み、前記スリーブは、前記開放器の排気口が設けられた壁部の外周を覆い、且つ前記壁部との間に空間を形成する構成としてある。
【００１４】
（２）好ましくは、上記（１）のサイレンサにおいて、前記スリーブが円筒であり、前記開放器の排気口が設けられた壁部との間に、幅１ｍｍ〜２ｍｍの前記空間を形成する構成とする。
【００１５】
（３）好ましくは、上記（１）又は（２）のサイレンサにおいて、前記貫通孔が、直径１ｍｍ〜３ｍｍの円形である構成とする。
【００１６】
（４）好ましくは、上記（１）〜（３）のいずれかのサイレンサにおいて、１〜１２個の前記貫通孔が、前記スリーブの壁面に設けられた構成とする。
【００１７】
（５）上記目的を達成するために、本発明の開放器は、封板を破くことによって、急速開放弁内の弁体を開動作させる開放器であって、前記封板の後方に配置されたニードルと、前記ニードルが取り付けられたピストンと、前記ピストンが移動可能に収容された本体と、上記（１）〜（４）のいずれかのサイレンサと、を含み、前記本体の壁部には、内部の気体を逃がすための排気口が設けられ、前記サイレンサのスリーブが、前記壁部の外周を覆い、且つ前記壁部との間に空間を形成する構成としてある。
【００１８】
（６）好ましくは、上記（５）の開放器において、前記本体の壁部と、前記サイレンサのスリーブとの間に、Ｏリングが介在された構成とする。
【００１９】
（７）上記目的を達成するために、本発明の急速開放弁は、上記（５）又は（６）の開放器を備えた構成としてある。
【００２０】
（８）好ましくは、上記（７）の急速開放弁において、流出口側の圧力に応じて弁体を開閉動作させる調圧機構を備えた構成とする。
【００２１】
（９）上記目的を達成するために、本発明の消火剤貯蔵容器は、ガス消火剤が充填された消火剤貯蔵容器であって、前記消火剤貯蔵容器の容器弁として、上記（７）又は（８）に記載の急速開放弁を備えた構成としてある。
【００２２】
（１０）好ましくは、上記（９）の消火剤貯蔵容器において、前記ガス消火剤の３５℃における充填圧力が３０ＭＰａである構成にする。
【００２３】
（１１）上記目的を達成するために、本発明のガス系消火設備は、上記（９）又は（１０）に記載の消火剤貯蔵容器と、前記消火剤貯蔵容器の急速開放弁の流出口に接続された配管と、前記配管に接続されたノズルと、火災の発生を検出する火災感知器と、前記火災感知器の検出結果に基づいて信号を送信する制御部と、前記急速開放弁の開放器を起動させるためのガスが充填された起動用ガス容器と、前記制御部からの信号に基づいて、前記起動用ガス容器の容器弁を開放させる起動装置と、を含む構成としてある。
【発明の効果】
【００２４】
本発明のサイレンサによれば、急速開放弁の開放器が生じさせる開放音を低減することが可能となる。これにより、急速開放弁を備えた消火剤貯蔵容器を、ハードディスクドライブが設けられた通信機室、電算機室、サーバー室などの付近に設置することができるようになる。また、消火剤貯蔵容器の充填圧力を高めることにより、容器一本の貯蔵量を増大させ、且つガス系消火設備に必要な容器数を減少させることが可能となる。
【図面の簡単な説明】
【００２５】
【図１】本発明の実施形態に係る急速開放弁を示す断面図である。
【図２】上記急速開放弁の別の角度の断面図である。
【図３】図１中の開放器を示す拡大断面図である。
【図４】図３中のサイレンサ付近を示す部分拡大断面図である。
【図５】本発明の実施形態に係るサイレンサを示す斜視図である。
【図６】本発明の実施形態に係るガス系消火設備を示す概略図である。
【図７】従来の急速開放弁を示す断面図である。
【図８】図７中の開放器を示す拡大断面図である。
【発明を実施するための形態】
【００２６】
以下、本発明の実施形態に係るサイレンサ、開放器、急速開放弁、消火剤貯蔵容器及びガス系消火設備について、図面を参照しつつ説明する。
【００２７】
＜急速開放弁＞
図１及び図２は、本実施形態の急速開放弁１を示す断面図である。急速開放弁１は、本実施形態の開放器２０を含む。開放器２０は、本実施形態のサイレンサ３０を含む。
【００２８】
図１及び図２において、急速開放弁１は、主として、急速開放弁本体１０内に、第１及び第２弁体１１、１４が開閉可能に設けられた構成となっている。急速開放弁本体１０には、ガス消火剤の流入口１０Ａ及び流出口１０Ｂが設けられている。流入口１０Ａ及び流出口１０Ｂは、急速開放弁本体１０内を縦方向及び横方向に延びるガス消火剤の流路１０Ｃによって連通している。急速開放弁本体１０の下方には、図示しない消火剤貯蔵容器の取出口に螺合される雄ねじ１０Ｅが設けられている。雄ねじ１０Ｅが消火剤貯蔵容器の取出口に螺合されることにより、流入口１０Ａが消火剤貯蔵容器の内部と連通される。
【００２９】
急速開放弁本体１０内の流路１０Ｃの途中には、二つの弁座が設けられている。一の弁座は、流入口１０Ａの近くに位置し、第１弁体１１によって開閉される。他の弁座は、流出口１０Ｂの近くに位置し、第２弁体１４によって開閉される。
【００３０】
第１弁体１１は、急速開放弁本体１０内を水平方向に移動可能なステム１２の前端に取り付けられている。ステム１２の後方には、スプリング１３が設けられている。ステム１２は、スプリング１３の付勢力を受けて、第１弁体１１を一の弁座に押し付ける。
【００３１】
第２弁体１４は、閉鎖弁室１０Ｄ内に位置し、急速開放弁本体１０内を垂直方向に移動可能な下ピストン１５Ａの下端に取り付けられている。図２に示すように、第２弁体１４が位置する閉鎖弁室１０Ｄは、ガス消火剤の流出口１０Ｂに連通している。下ピストン１５Ａの上端には、上ピストン１５Ｂが装着されている。下ピストン１５Ａと上ピストン１５Ｂとの間には、スプリング１６が設けられている。スプリング１６は、下ピストン１５Ａと上ピストン１５Ｂとを弾性的に支持し、第２弁体１４を他の弁座から離間させる。この第２弁体１４は、後述する調圧機構を構成する。
【００３２】
下ピストン１５Ａ、上ピストン１５Ｂ及びスプリング１６は、ボンネット１７によって急速開放弁本体１０内に保持されている。また、図２に示すように、下ピストン１５Ａ、上ピストン１５Ｂ及びスプリング１６が収容された空間は、排気口１０ｂを介して外部と連通している。
【００３３】
＜＜調圧機構＞＞
ここで、本実施形態の急速開放弁１は、ガス消火剤の流出口１０Ｂ側の圧力に応じて第２弁体１４を開閉動作させる調圧機構を備えている。この調圧機構は、上述した第２弁体１４、下ピストン１５Ａ、上ピストン１５Ｂ及びスプリング１６の他に、図２に示す第１導通路１５ａ、第２導通路１０ａ、第１受圧面１５ｃ及び第２受圧面１５ｄによって構成される。
【００３４】
第１導通路１５ａは、第２弁体１４、下ピストン１５Ａ及び上ピストン１５Ｂを貫通して、上ピストン１５Ｂの後端中央の第１受圧面１５ｃに達する。第２導通路１０ａは、流出口１０Ｂと閉鎖弁室１０Ｄとの間の流路１０Ｃを、上ピストン１５Ｂとボンネット１７との間の隙間に連通させる。上ピストン１５Ｂとボンネット１７との間の隙間には、上ピストン１５Ｂの後方の環状の第２受圧面１５ｄが位置する。
【００３５】
＜＜通常動作＞＞
まず、急速開放弁１の通常動作について説明する。図１において、第１弁体１１が開動作することにより、消火剤貯蔵容器内の高圧のガス消火剤が、流路１０Ｃ内を流れ、開状態の第２弁体１４を通過して、閉鎖弁室１０Ｄに供給される。第２弁体１４は、次に述べる調圧動作によって、閉鎖弁室１０Ｄを通過するガス消火剤の圧力を一定に調整する。調圧されたガス消火剤は、閉鎖弁室１０Ｄを通過して、図２に示す流出口１０Ｂから放出される。
【００３６】
＜＜調圧動作＞＞
次に、急速開放弁１の調圧動作について説明する。図２において、急速開放弁１の流出口１０Ｂ側の圧力が、所定の圧力よりも高くなると、高圧のガス消火剤は、第２導通路１０ａを通って、上ピストン１５Ｂの第２受圧面１５ｄに圧力を加える。これにより、上ピストン１５Ｂが、スプリング１６の弾性力に抗して、下ピストン１５Ａを押し下げ、第２弁体１４を閉動作させる。この結果、流出口１０Ｂからのガス消火剤の放出が停止される。
【００３７】
その後、急速開放弁１の流出口１０Ｂ側の圧力が、所定の圧力よりも低くなると、上ピストン１５Ｂの第２受圧面１５ｄに加えられる圧力が低下する。これにより、スプリング１６の弾性力が、上ピストン１５Ｂとともに下ピストン１５Ａを押し上げ、第２弁体１４を開動作させる。この結果、流出口１０Ｂからのガス消火剤の放出が再開される。このように、急速開放弁１は、流出口１０Ｂ側の圧力に応じて、第２弁体１４を開閉動作させ、流出口１０Ｂから放出されるガス消火剤の圧力を一定に保っている。
【００３８】
ここで、本実施形態の調圧機構は、上ピストン１５Ｂの第１受圧面１５ｃと、第２弁体１４の受圧面とを、第１導通路１５ａによって連通させた構成となっている。この構成により、第１受圧面１５ｃに加えられる圧力と、第２弁体１４の受圧面に加えられる圧力との均衡が保たれる。この結果、急速開放弁１の流出口１０Ｂから放出されるガス消火剤の圧力が、ほぼ一定の値に安定する。
【００３９】
＜開放器＞
次に、本実施形態の開放器２０について説明する。図１において、開放器２０は、ステム１２を付勢するスプリング１３の後方に取り付けられている。開放器２０は、主として、開放器本体２１、封板２２、ニードル２３、ピストン２４、スプリング２５、押しボタン２６、安全栓２７及びサイレンサ３０で構成されている。
【００４０】
封板２２は、第１弁体１１が設けられたステム１２の背圧を保つ。ニードル２３は、ピストン２４に取り付けられる。ピストン２４は、スプリング２５に付勢された状態で、開放器本体２１内に移動可能に収容されている。
【００４１】
開放器本体２１の後方には、起動ガスの流路２１Ａが設けられている。流路２１Ａに供給された高圧の起動ガスは、ピストン２４の背面に圧力を加え、スプリング２５の付勢力に抗して、ピストン２４を急速に前進させる。また、ピストン２４の後方には、ピン２４ａが設けられている。ピン２４ａの後端には、押しボタン２６がねじ止めされている。押しボタン２６を押すことにより、手動でピストン２４を前進させることが可能である。ピン２４ａは、安全栓２７によって仮固定されている。安全栓２７は、例えば、急速開放弁１を備えた消火剤貯蔵容器が所定の場所に設置された後、ピン２４ａから取り外される。このような安全栓２７によって、消火剤貯蔵容器が設置されるまでの間における押しボタン２６の誤操作が防止される。
【００４２】
開放器２０は、起動ガスの供給又は押しボタン２６の手動操作によって動作する。すなわち、起動ガスが供給され、又は押しボタン２６が手動操作されると、ピストン２４が急速に前進する。これにより、封板２２がニードル２３によって破かれる。封板２２が破かれることで、ステム１２の背圧が急激に低下し、ステム１２とともに第１弁体１１が急速に開動作する。これにより、図示しない消火剤貯蔵容器内に充填された高圧のガス消火剤が、急速開放弁１内の流路１０Ｃを通過し、第２弁体１４を押し上げて開放させる。その後、図２に示す急速開放弁１の流出口１０Ｂからガス消火剤が放出される。
【００４３】
＜サイレンサ＞
従来の問題点として指摘したように、封板２２が破かれた直後、ステム１２の急速な後退によって、ステム１２の後方の気体が、開放器本体２１内に急激に圧縮される。仮に、圧縮された気体が、開放器本体２１の壁部２１Ｂに設けられた排気口２１ａから外部へ放出されると、大きな破裂音が生じてしまう。そこで、本実施形態の開放器２０は、この破裂音を低減させるためのサイレンサ３０を備える。図３は、図１中の開放器２０を示す拡大断面図であり、図４は、図３中のサイレンサ３０付近を示す部分拡大断面図である。
【００４４】
図３及び図４において、サイレンサ３０は、円筒状のスリーブ３１の壁面に、複数の貫通孔３２を設けた構成となっている。スリーブ３１は、開放器本体２１の排気口２１ａが設けられた壁部２１Ｂの外周を覆い、且つ壁部２１Ｂとの間に空間３３を形成する。
【００４５】
この空間３３を形成するために、開放器本体２１の壁部２１Ｂには、段差部２１ｂが設けられている。段差部２１ｂの外径は、スリーブ３１の内径とほぼ等しい。サイレンサ３０は、段差部２１ｂに装着される。これにより、壁部２１Ｂとサイレンサ３０との間に、空間３３が形成される。空間３３の短手方向の幅Ｗは、段差部２１ｂの突出量と等しい。空間３３の短手方向の幅Ｗは、好ましくは１ｍｍ〜２ｍｍ、より好ましくは１．５ｍｍ〜２ｍｍの範囲内に設定するとよい。
【００４６】
図４に示すように、開放器本体２１の排気口２１ａは、空間３３の前側の位置に開口する。これに対し、サイレンサ３０の貫通孔３２は、スリーブ３１の後側の位置に設けられている。排気口２１ａと貫通孔３２とが離間するほど、排気口２１ａから排出された気体の移動距離が長くなり、サイレンサ３０の消音効果は良好になる。スリーブ３１の前端縁から気体を漏洩させないために、スリーブ３１と開放器本体２１との間にＯリングが介在されている。
【００４７】
本実施形態の貫通孔３２は円形であるが、楕円形や多角形であってもよい。貫通孔３２の直径Ｄは、好ましくは１ｍｍ〜３ｍｍ、より好ましくは１ｍｍ〜１．５ｍｍの範囲内に設定するとよい。また、貫通孔３２の数は、好ましくは１〜１２個、より好ましくは１〜３個の範囲内に設定するとよい。図５の斜視図は、スリーブ３１に１２個の貫通孔３２が設けられたサイレンサ３０の一例を示す。
【００４８】
貫通孔３２の直径Ｄが小さくなるほど、また、貫通孔３２の数が少なくなるほど、サイレンサ３０の消音効果は良好となるが、ステム１２の動作速度が低下する。したがって、貫通孔３２の直径Ｄ及び数は、サイレンサ３０の消音効果と、ステム１２の動作速度との両方が良好となるように設定する。
【００４９】
＜＜消音効果＞＞
サイレンサ３０の消音効果について、図３を参照しつつ説明する。図中の矢印Ａ〜Ｃは、圧力を示す。図３において、第１弁体１１は、常にガス消火剤の高い圧力に曝されている（矢印Ａ）。ニードル２３によって封板２２が破かれると、ステム１２の背圧が急激に低下し、ステム１２とともに第１弁体１１が急速に開動作する。このときのステム１２の急速な後退によって、ステム１２の後方の気体が、開放器本体２１内に急激に圧縮される（矢印Ｂ）。圧縮された気体は、開放器本体２１の壁部２１Ｂに設けられた排気口２１ａから、スリーブ３１に覆われた空間３３内に放出される。
【００５０】
排気口２１ａから放出された気体の音圧は、この気体が狭い空間３３を通過する際の抵抗によって減衰される。これにより、排気口２１ａから放出された気体の音圧が低減される。その後、空間３３を通過した気体は、所定の直径に設定された複数の貫通孔３２から外部へ放出される（矢印Ｃ）。貫通孔３２から外部へ放出される気体の音圧は、この気体が小さな貫通孔３２を通過する際の抵抗によって減衰される。これにより、貫通孔３２から放出された気体の音圧が低減される。この結果、開放器２０が生じさせる音は、「プシュッ」という噴射音になる。
【００５１】
なお、サイレンサ３０は、気体を通過させることが可能な吸音材を、空間３３内に充填した構成としてもよい。空間３３内に充填される吸音材として、例えば、ポリウレタン発泡体、ポリウレタン繊維、ポリエステル繊維、アルミ繊維、ガラス短繊維、ガラスウールなどを用いることができる。
【００５２】
＜急速開放弁の実施例＞
開放器にサイレンサを設けた急速開放弁の実施例と、開放器にサイレンサを設けていない急速開放弁の比較例とを用いて、開放音の音圧レベルを測定した。測定結果を表１に示す。
【００５３】
【表１】
2019012185.tif 000003
【００５４】
表１中の「一次側圧力」は、消火剤貯蔵容器の充填圧力を想定したものである。急速開放弁の流入口に昇圧ポンプを接続し、実施例の急速開放弁には３０ＭＰａ、比較例の急速開放弁には３０ＭＰａ及び１５ＭＰａの圧力を加えた。表１中の「起動ガス圧力」は、開放器の流路に供給される起動ガスの圧力である。起動ガスには、起動用Ｎ２ボンベのＮ２ガスを用いた。実施例のサイレンサは、円筒状のスリーブに直径１ｍｍの貫通孔を６個設けた構成である。表１中の「音圧レベル」は、リオン株式会社（登録商標）の普通騒音計「ＮＬ−２７」を用いて、急速開放弁から１ｍ離れた距離で測定した。
【００５５】
測定の結果、実施例の急速開放弁は、一次側圧力が３０ＭＰａの条件で、開放音の音圧レベルが９７．３ｄＢであり、音圧レベルが１００ｄＢを下回る消音効果が確認された。音圧レベルが１００ｄＢを下回る音は、ハードディスクドライブの動作に影響しない。
【００５６】
これに対し、比較例の急速開放弁は、一次側圧力が３０ＭＰａの条件で、開放音の音圧レベルが１０９．１ｄＢであった。また、比較例の急速開放弁は、一次側圧力が１５ＭＰａの条件で、開放音の音圧レベルが１０５．６ｄＢであった。比較例は、３０ＭＰａ及び１５ＭＰａのいずれの条件であっても、１００ｄＢを上回る音を生じさせる。実施例の音圧レベル９７．３ｄＢは、一次側圧力が３０ＭＰａの条件で測定されたものであるが、一次側圧力が１５ＭＰａの条件で測定された比較例の音圧レベル１０５．６ｄＢよりも小さい。
【００５７】
さらに、実施例の急速開放弁の開放音は、「プシュッ」という噴射音であり、周囲の人を驚かせる種類の音ではなかった。これに対し、比較例の急速開放弁の開放音は、「パンッ」という破裂音であり、周囲の人を驚かせる種類の音である。
【００５８】
＜ガス系消火設備＞
次に、本発明の実施形態に係るガス系消火設備について、図６を参照しつつ説明する。図６は、本実施形態のガス系消火設備２を示す概略図である。ガス系消火設備２は、本実施形態の消火剤貯蔵容器４７Ａ〜４７Ｅを含む。
【００５９】
本実施形態のガス系消火設備２は、例えば、通信機室、電算機室、サーバー室などの複数の場所を監視し、火災が発生した場所に、ＣＯ２、Ｎ２、消火薬剤ＩＧ５４１といった不活性ガス又はハロゲン化物などのガス消火剤を自動的に放射する構成となっている。
【００６０】
図６において、ガス系消火設備２は、複数の火災感知器４１と、制御部４２と、第１及び第２起動ガス容器４３Ａ、４３Ｂと、二つの起動装置４４Ａ、４４Ｂと、複数の逆止弁４５と、第１及び第２選択弁４６Ａ、４６Ｂと、容器ユニット４７と、複数のノズル４８と、起動ガス配管５１〜５３と、消火剤配管６１〜６３とを含む。
【００６１】
容器ユニット４７には、五本の消火剤貯蔵容器４７Ａ〜４７Ｅが収納されている。五本の消火剤貯蔵容器４７Ａ〜４７Ｅのそれぞれに、上述した本実施形態の急速開放弁１が設けられている。
【００６２】
ガス系消火設備２の構成要素のうち、火災感知器４１、ノズル４８及び消火剤配管６２の一部は、サーバー室７０に設置されている。消火剤配管６３の一部は、図示しない通信機室、電算機室、他のサーバー室などに設置されている。ガス系消火設備２のその他の構成要素は、例えば、容器貯蔵庫などに設置されている。
【００６３】
複数の火災感知器４１は、サーバー室７０の上方に設置されている。各火災感知器４１は、サーバー室７０の異なるエリアを監視し、火災による煙及び熱を感知する。制御部４２は、有線又は無線により、サーバー室７０の火災感知器４１、及びサーバー室７０以外の場所に設置された他の火災感知器（図示せず）に通信可能に接続されている。図６中の点線は、制御部４２が送受信する信号の通信経路を示す。
【００６４】
第１及び第２起動ガス容器４３Ａ、４３Ｂ内には、急速開放弁１の開放器２０を起動させるための起動ガスが充填されている。第１起動ガス容器４３Ａの容器弁には、起動装置４４Ａが設けられ、第２起動ガス容器４３Ｂの容器弁には、起動装置４４Ｂが設けられている。各起動装置４４Ａ、４４Ｂは、制御部４２からの信号に基づいて、第１及び第２起動ガス容器４３Ａ、４３Ｂの容器弁を個別に開放させる。
【００６５】
第１起動ガス容器４３Ａの容器弁は、起動ガス配管５１に接続されている。起動ガス配管５１の途中には、逆止弁４５を介して、第１選択弁４６Ａが接続されている。起動ガス配管５１の末端は、逆止弁４５を介して、共通の起動ガス配管５３に接続されている。すなわち、第１起動ガス容器４３Ａの容器弁から放出された起動ガスは、起動ガス配管５１を通じて、第１選択弁４６Ａ及び共通の起動ガス配管５３に向かって流れ、起動ガス配管５１を逆流しない。
【００６６】
上記と同様に、第２起動ガス容器４３Ｂの容器弁は、他の起動ガス配管５２に接続されている。起動ガス配管５２の途中には、逆止弁４５を介して、第２選択弁４６Ｂが接続されている。起動ガス配管５２の末端は、逆止弁４５を介して、共通の起動ガス配管５３に接続されている。すなわち、第２起動ガス容器４３Ｂの容器弁から放出された起動ガスは、起動ガス配管５２を通じて、第２選択弁４６Ｂ及び共通の起動ガス配管５３に向かって流れ、起動ガス配管５２を逆流しない。
【００６７】
第１及び第２選択弁４６Ａ、４６Ｂは、いずれも起動ガスの供給により開動作する。第１選択弁４６Ａが開動作することによって、消火剤配管６１と消火剤配管６２とが連通する。一方、第２選択弁４６Ｂが開動作することによって、消火剤配管６１と消火剤配管６３とが連通する。
【００６８】
上述した共通の起動ガス配管５３には、五本の消火剤貯蔵容器４７Ａ〜４７Ｅに設けられた各急速開放弁１の開放器２０が直列に接続されている。共通の起動ガス配管５３を流れる起動ガスは、消火剤貯蔵容器４７Ａ、４７Ｂ、４７Ｃ、４７Ｄ及び４７Ｅの順番で、各急速開放弁１の開放器２０に供給される。つまり、火災が発生した場合には、各急速開放弁１が、消火剤貯蔵容器４７Ａ、４７Ｂ、４７Ｃ、４７Ｄ及び４７Ｅの順番で急速に開放される。そして、全ての消火剤貯蔵容器４７Ａ〜４７Ｅのガス消火剤が、共通の消火剤配管６１に放出される。その後、ガス消火剤は、消火剤配管６２に設けられた複数のノズル４８、又は他の消火剤配管６３に設けられた図示しない複数のノズルから火災が発生した場所に放出される。
【００６９】
＜＜設備動作＞＞
次に、本実施形態のガス系消火設備２の動作について説明する。例えば、サーバー室７０内で火災が発生した場合には、複数の火災感知器４１の少なくとも一つが、火災による煙又は熱を感知し、制御部４２に信号を送信する。制御部４２は、火災感知器４１から受信した信号に基づいて、一方の起動装置４４Ａに信号を送信する。
【００７０】
起動装置４４Ａは、制御部４２からの信号を受信して動作し、第１起動ガス容器４３Ａの容器弁を開状態にさせる。これにより、第１起動ガス容器４３Ａが、起動ガス配管５１に起動ガスを放出する。起動ガス配管５１に放出された起動ガスは、第１選択弁４６Ａに供給される。これにより、第１選択弁４６Ａが開動作して、消火剤配管６１と消火剤配管６２とが連通する。
【００７１】
その一方で、起動ガス配管５１に放出された起動ガスは、共通の起動ガス配管５３を流れ、五本の消火剤貯蔵容器４７Ａ〜４７Ｅに設けられた各急速開放弁１の開放器２０に供給される。これにより、各急速開放弁１が、消火剤貯蔵容器４７Ａ、４７Ｂ、４７Ｃ、４７Ｄ及び４７Ｅの順番で急速に開放される。全ての消火剤貯蔵容器４７Ａ〜４７Ｅのガス消火剤は、共通の消火剤配管６１に放出され、第１選択弁４６Ａ及び消火剤配管６２を通って、複数のノズル４８からサーバー室７０内に放出される。この結果、サーバー室７０で発生した火災が鎮火される。
【００７２】
なお、サーバー室７０以外の場所で火災が発生した場合は、図示しない他の火災感知器が、制御部４２に信号を送信する。制御部４２は、他の火災感知器から受信した信号に基づいて、他方の起動装置４４Ｂに信号を送信する。
【００７３】
起動装置４４Ｂは、制御部４２からの信号を受信して動作し、第２起動ガス容器４３Ｂの容器弁を開状態にさせる。これにより、第２起動ガス容器４３Ｂが、起動ガス配管５２に起動ガスを放出する。起動ガス配管５２に放出された起動ガスは、第２選択弁４６Ｂに供給される。これにより、第２選択弁４６Ｂが開動作して、消火剤配管６１と消火剤配管６３とが連通する。
【００７４】
その一方で、起動ガス配管５２に放出された起動ガスは、共通の起動ガス配管５３を流れ、五本の消火剤貯蔵容器４７Ａ〜４７Ｅに設けられた各急速開放弁１の開放器２０に供給される。これにより、各急速開放弁１が、消火剤貯蔵容器４７Ａ、４７Ｂ、４７Ｃ、４７Ｄ及び４７Ｅの順番で急速に開放される。全ての消火剤貯蔵容器４７Ａ〜４７Ｅのガス消火剤は、共通の消火剤配管６１に放出され、第２選択弁４６Ｂ及び消火剤配管６３を通って、図示しない複数のノズルから火災が発生した場所に放出される。
【００７５】
＜作用効果＞
以上説明したように、実施形態のサイレンサ３０によれば、開放器２０が生じさせる開放音を、音圧レベル１００ｄＢ未満の噴射音にすることができる。これにより、ハードディスクドライブへの影響を懸念することなく、急速開放弁１を備えた消火剤貯蔵容器４７Ａ〜４７Ｂを通信機室、電算機室、サーバー室７０などの室内又は付近に設置することが可能となる。また、消火剤貯蔵容器４７Ａ〜４７Ｂの充填圧力を、従来の１５ＭＰａから３０ＭＰａに高めることにより、容器一本の貯蔵量を増大させ、且つガス系消火設備２に必要な容器数を減少させることが可能となる。
【符号の説明】
【００７６】
１  急速開放弁
１０  急速開放弁本体
１０Ａ  流入口
１０Ｂ  流出口
１０Ｃ  ガス消火剤の流路
１０Ｄ  閉鎖弁室
１０Ｅ  雄ねじ
１０ａ  第２導通路
１０ｂ  排気口
１１  第１弁体
１２  ステム
１３  スプリング
１４  第２弁体
１５Ａ  下ピストン
１５Ｂ  上ピストン
１５ａ  第１導通路
１５ｃ  第１受圧面
１５ｄ  第２受圧面
１６  スプリング
１７  ボンネット
２０  開放器
２１  開放器本体
２１Ａ  起動ガスの流路
２１Ｂ  壁部
２１ａ  排気口
２１ｂ  段差部
２２  封板
２３  ニードル
２４  ピストン
２４ａ  ピン
２５  スプリング
２６  押しボタン
２７  安全栓
３０  サイレンサ
３１  スリーブ
３２  貫通孔
３３  空間
２  ガス系消火設備
４１  火災感知器
４２  制御部
４３Ａ  第１起動ガス容器
４３Ｂ  第２起動ガス容器
４４Ａ、４４Ｂ  起動装置
４５  逆止弁
４６Ａ  第１選択弁
４６Ｂ  第２選択弁
４７  容器ユニット
４７Ａ〜４７Ｅ  消火剤貯蔵容器
４８  ノズル
５１〜５３  起動ガス配管
６１〜６３  消火剤配管
７０  サーバー室
【図１】
2019012185.tif 000004
【図２】
2019012185.tif 000005
【図３】
2019012185.tif 000006
【図４】
2019012185.tif 000007
【図５】
2019012185.tif 000008
【図６】
2019012185.tif 000009
【図７】
2019012185.tif 000010
【図８】
2019012185.tif 000011